(57)【要約】【課題】  高い光透過率と広い視野角を確保することが可能な液晶表示装置を提供する。【解決手段】  透光性絶縁基板３０上に、第１方向Ａ１に長い複数の矩形状の画素電極１１がマトリクス状に配置されているアレイ基板２と、透光性絶縁基板４０上に、複数の画素電極１１に対応して共通に設けられている対向電極４２と、この対向電極４２上に設けられ、第１方向Ａ１と交わる第２方向Ａ２に長い複数のリブ４３を備え、アレイ基板２と対向して配置されている対向基板３と、アレイ基板２と対向基板３との間に配置された液晶層４とを備え、リブ４３は、画素電極１１と対向電極４２とに挟まれた画素領域２０３内において、複数の画素電極１１の対向する短辺の中央を通る第１仮想線２０２あるいは画素電極１１の対向する長辺の中央を通る第２方向Ａ２の第２仮想線２０４の少なくとも一方に対して非対称に形成されていることを特徴とする液晶表示装置。【選択図】図３
2007192917.tif 000002
【特許請求の範囲】
【請求項１】
第１絶縁基板上に、第１方向に長い複数の矩形状の画素電極がマトリクス状に配置されている第１基板と、
第２絶縁基板上に、前記複数の画素電極に対応して共通に設けられている対向電極と、この対向電極上に設けられ、前記第１方向と交わる第２方向に長い複数のリブを備え、前記第１基板と対向して配置されている第２基板と、
前記第１基板と前記第２基板との間に配置された液晶層とを備え、
前記リブは、前記画素電極と前記対向電極とに挟まれた画素領域内において、前記複数の画素電極の対向する短辺の中央を通る第１仮想線あるいは前記画素電極の対向する長辺の中央を通る前記第２方向の第２仮想線の少なくとも一方に対して非対称に形成されていることを特徴とする液晶表示装置。
【請求項２】
前記画素領域に対応する前記リブは、前記第１仮想線と前記第２仮想線との交点を軸とする回転対称であることを特徴とする請求項１に記載の液晶表示装置。
【請求項３】
前記画素領域に対応する前記リブは、２回の回転対称であることを特徴とする請求項２に記載の液晶表示装置。
【請求項４】
前記画素領域に対応する前記リブは、前記第１仮想線と前記第２仮想線とにより分割される４つの分割部からなり、これら分割部のうち、対角線上に配置される２つの分割部は、それぞれ、残りの２つの分割部よりも面積が大きいことを特徴とする請求項１ないし３のいずれか１項に記載の液晶表示装置。
【請求項５】
前記画素領域に対応する前記リブは、前記第１仮想線と前記第２仮想線とにより分割される４つの分割部からなり、これら分割部のうち、対角線上に配置される２つの分割部は、
前記画素電極の長辺に対応する第３仮想線と前記リブの外縁とは第１の角度で交わり、且つ、残りの２つの分割部は、他方の前記画素電極の長辺に対応する前記第３仮想線と前記リブの外縁とが第２の角度で交わり、前記第１の角度および第２の角度が９０度でないことを特徴とする請求項１ないし４のいずれか１項に記載の液晶表示装置。
【請求項６】
前記リブは、前記第１方向の第１の幅と、この第１の幅よりも広い前記第１方向の第２の幅を有し、この第２の幅を有する領域において、一方の側面から突出している複数の第１凸部と、他の側面から前記第２凸部の反対方向に突出している第２凸部とを交互に有していることを特徴とする請求項１ないし５のいずれか１項に記載の液晶表示装置。
【請求項７】
前記リブは、前記第１凸部および第２凸部が直線により構成されていることを特徴とする請求項６に記載の液晶表示装置。
【請求項８】
前記リブは、前記第１凸部および第２凸部が曲線により構成されていることを特徴とする請求項６に記載の液晶表示装置。
【請求項９】
前記リブは、両外縁が鋸歯状に形成されていることを特徴とする請求項１ないし５のいずれか１項に記載の液晶表示装置。
【請求項１０】
前記画素電極は、短辺の長さが４０μｍ以下であることを特徴とする請求項１ないし９のいずれか１項に記載の液晶表示装置。
【請求項１１】
第１絶縁基板上に、第１方向に長い複数の矩形状の画素電極がマトリクス状に配置されている第１基板と、
第２絶縁基板上に、前記複数の画素電極に対応して共通に設けられている対向電極と、この対向電極上に設けられ、前記第１方向と交わる第２方向に長い複数のリブを備え、前記第１基板と対向して配置されている第２基板と、
前記第１基板と前記第２基板との間に配置された液晶層とを備え、
前記リブは、前記画素電極と前記対向電極とに挟まれた画素領域内において、前記複数の画素電極の対向する短辺の中央を通る第１仮想線と前記画素電極の対向する長辺の中央を通る前記第２方向の第２仮想線とより４分割される分割領域内の液晶配向が、前記第１仮想線あるいは前記第２仮想線の少なくとも一方に対して非対称となるようにする凸部を有することを特徴とする液晶表示装置。
【請求項１２】
前記リブの前記凸部は、前記分割領域の液晶配向が、前記画素領域において、前記第１仮想線と前記第２仮想線との交点を軸とする回転対称となるような構成を有することを特徴とする請求項１１に記載の液晶表示装置。
【請求項１３】
前記リブの前記凸部は、前記分割領域の液晶配向が、前記画素領域において、２回の回転対称となるような構成を有することを特徴とする請求項１２に記載の液晶表示装置。
【請求項１４】
前記複数の画素領域に対応する液晶配向は、前記第２方向の隣同士が非対称に形成されていることを特徴とする請求項１１ないし１３のいずれか１項に記載の液晶表示装置。
【請求項１５】
前記複数の画素領域に対応する液晶配向は、全て一致していることを特徴とする請求項１１ないし１３のいずれか１項に記載の液晶表示装置。
【請求項１６】
第１絶縁基板上に、第１方向に長い複数の矩形状の画素電極がマトリクス状に配置されている第１基板と、
第２絶縁基板上に、前記複数の画素電極に対応して共通に設けられている対向電極を備え、前記第１基板と対向して配置されている第２基板と、
前記第１基板と前記第２基板との間に配置された液晶層と
前記第２絶縁基板の前記対向電極上に形成され、前記第１方向と交わる第２方向に長い複数のリブとを備え、
前記複数の画素電極は、それぞれ、前記リブと対応する位置で分割された第１画素電極領域と第２画素電極領域からなり、前記第１画素電極領域と前記第２方向に隣り合う画素電極との第１距離が、前記第２画素電極領域と前記第２方向に隣り合う画素電極との第２距離と異なることを特徴とする液晶表示装置。
【請求項１７】
前記複数の画素電極は、前記第２方向に隣り合う画素電極と、非対称に形成されていることを特徴とする請求項１６に記載の液晶表示装置。
【請求項１８】
前記第１距離は、前記第２距離よりも小さく、前記第１距離は０μｍ以上４μｍ以下であって、前記第２距離は８μｍ以上、且つ、前記第１距離＋前記画素電極の第１方向の長さ×２より小さいことを特徴とする請求項１７に記載の液晶表示装置。
【請求項１９】
前記画素電極は、前記リブと対応する前記第２方向の仮想線に対して非対称に形成されていることを特徴とする請求項１６ないし１８のいずれか１項に記載の液晶表示装置。
【請求項２０】
前記第１方向と前記第２方向は直角に交わっており、前記画素電極は、中心を軸とする回転対称であることを特徴とする請求項１６ないし１９のいずれか１項に記載の液晶表示装置。
【請求項２１】
前記画素電極は、２回の回転対称であることを特徴とする請求項２０に記載の液晶表所装置。
【請求項２２】
第１絶縁基板上に、第１方向に長い複数の矩形状の画素電極がマトリクス状に配置されている第１基板と、
第２絶縁基板上に、前記複数の画素電極に対応して共通に設けられている対向電極を備え、前記第１基板と対向して配置されている第２基板と、
前記第１基板と前記第２基板との間に配置され、カイラル剤を含む液晶層と
前記第２絶縁基板の前記対向電極上に形成され、前記第１方向と交わる第２方向に長い複数のリブとを備えることを特徴とする液晶表示装置。
【請求項２３】
前記液晶層は、右捩じれ構造を生じるカイラル剤を含むことを特徴とする請求項２２に記載の液晶表示装置。
【請求項２４】
前記液晶層は、左捩じれ構造を生じるカイラル剤を含むことを特徴とする請求項２２に記載の液晶表示装置。
【発明の詳細な説明】
【技術分野】
【０００１】
本発明は、液晶層が一対の電極基板間に挟持される液晶表示装置に関し、特に液晶分子のチルト方向が制御される複数のドメインに分割された液晶層を持つ液晶表示装置に関する。
【背景技術】
【０００２】
液晶表示装置は、軽量、薄型、低消費電力という特性を有するために、ＯＡ機器、情報端末、時計、テレビのような様々な分野で応用されている。特にアクティブマトリクス型液晶表示装置は、薄膜トランジスタ（Ｔｈｉｎ  Ｆｉｌｍ  Ｔｒａｎｓｉｓｔｏｒ：以下ＴＦＴと記す）を用いて画素のスイッチングを行うことにより優れた応答性を得ることができるため、多くの画像情報を表示しなくてはならない携帯電話、テレビあるいはコンピュータの表示モニタとして利用されている。
【０００３】
近年では、液晶表示装置の精細度および表示速度の向上が情報量の増大に伴って要求され始めている。精細度の向上はＴＦＴアレイ構造を微細化して画素数を増大することにより行われる。また、表示速度の向上に関して言えば、液晶分子の配列をより短い時間内に遷移させるために、現在の２倍から数十倍という液晶分子の応答速度を得られるような液晶表示モードが必要となる。この液晶表示モードとしては、例えばネマチック液晶を用いたＯＣＢ型、ＶＡＮ型、ＨＡＮ型、π配列型、スメチック液晶を用いた界面安定型強誘電性液晶（Ｓｕｒｆａｃｅ  Ｓｔａｂｉｌｉｚｅｄ  Ｆｅｒｒｏｅｌｅｃｔｒｉｃ  Ｌｉｑｕｉｄ  Ｃｒｙｓｔａｌ）型、あるいは反強誘電性液晶型が利用できる。
【０００４】
特にＶＡＮ型配向モードは、従来のツイストネマチック（ＴＮ）型配向モードよりも速い応答速度が得られることや、静電気破壊のような不良発生の原因となる従来のラビング配向処理を不要にできることから近年注目されている。さらに、ＶＡＮ型配向モードは視野角の補償設計が容易であり、液晶分子のチルト方向が互いに異なる複数のドメインに画素を分割するマルチドメイン形式にすることにより広い視野角を得ることができる。
【０００５】
例えば、液晶分子のチルト方向を制御するための手段として、電極の一部または周囲が電気的な欠落を示す構造（切り取り部）を有する液晶表示装置が知られている（特許文献１参照）。このような液晶装置においては、切り取り部またはその近傍で液晶表示装置の基板間に印加される電場の揺らぎを生成し、液晶分子を構成する材料の誘電異方性に対応した傾きを一義的に決定している。
【特許文献１】特開平６−４３４６１号公報、要約。
【発明の開示】
【発明が解決しようとする課題】
【０００６】
しかし、例えば、電極上に設けた誘電体層や、電極の切り欠き（スリット）により画素を複数のドメインに分割すると、誘電体層やスリット部での光ロスにより透過率が低下する虞がある。
【０００７】
また、近年の高画質の要求に伴い、画素電極の幅が約４０μｍ以下である超高精細液晶ディスプレイへの期待が高まっている。このような超高精細液晶ディスプレイは、従来の誘電体層やスリットを利用することより、透過率が著しく低下する問題がある。
【０００８】
本発明は、上記問題を解決するためのものであって、高い光透過率と広い視野角を確保することが可能な液晶表示装置を提供することを目的とする。
【課題を解決するための手段】
【０００９】
本発明の一態様によると、液晶表示装置は、第１絶縁基板上に、第１方向に長い複数の矩形状の画素電極がマトリクス状に配置されている第１基板と、第２絶縁基板上に、前記複数の画素電極に対応して共通に設けられている対向電極と、この対向電極上に設けられ、前記第１方向と交わる第２方向に長い複数のリブを備え、前記第１基板と対向して配置されている第２基板と、前記第１基板と前記第２基板との間に配置された液晶層とを備え、前記リブは、前記画素電極と前記対向電極とに挟まれた画素領域内において、前記複数の画素電極の対向する短辺の中央を通る第１仮想線あるいは前記画素電極の対向する長辺の中央を通る前記第２方向の第２仮想線の少なくとも一方に対して非対称に形成されていることを特徴としている。
【発明の効果】
【００１０】
高い光透過率と広い視野角を確保することが可能な液晶表示装置を提供することができる。
【発明を実施するための最良の形態】
【００１１】
以下、この発明の実施の形態に係る液晶表示装置について図面を参照して説明する。
【００１２】
（第１の実施の形態）
図１は、この発明の第１の実施の形態に係る液晶表示装置の構成を概略的に示す図である。図２は、図１に示した液晶表示装置の基本構成を示す断面図である。また、図３は、図１，２に示した液晶表示装置を対向基板側から見た透過的な概略図を示す。
【００１３】
図２に示すように、液晶表示装置は、アクティブマトリクスタイプのカラー液晶表示装置であって、液晶表示パネル１を備えている。この液晶表示パネル１は、アレイ基板（第１基板）２と、アレイ基板２と対向して配置された対向基板（第２基板）３と、これらアレイ基板２と対向基板３との間に保持された液晶層４とを備えている。
【００１４】
また、液晶表示装置は、アレイ基板２の液晶層４を保持する面とは反対の外面に設けられた第１偏光制御素子５、及び、対向基板３の液晶層４を保持する面とは反対の外面に設けられた第２偏光制御素子６を備えている。さらに、液晶表示装置は、第１偏光制御素子５側から液晶表示パネル１を照明するバックライトユニットＢＬを備えている。
【００１５】
第１偏光制御素子５及び第２偏光制御素子６は、これらを通過する光の偏光状態を制御し、液晶層４に入射する楕円偏光を形成する。すなわち、第１偏光制御素子５は、これに入射したバックライト光の偏光状態を制御し、第１偏光制御素子５を通過した光すなわち液晶層４に入射する直前の光の偏光状態を楕円偏光に変換する。また、第２偏光制御素子６は、これに入射した外光の偏光状態を制御し、第２偏光制御素子６を通過した光すなわち液晶層４に入射する直前の光の偏光状態を楕円偏光に変換する。
【００１６】
このような液晶表示装置は、図１に示すように、画像を表示する表示領域１０において、ｍ×ｎ個のマトリクス状に配置された複数の画素２０を備えている。
【００１７】
アレイ基板２は、ガラス板や石英板などの透光性絶縁基板（第１絶縁基板）３０を用いて形成されている。すなわち、このアレイ基板２は、表示領域１０において、画素２０毎に配置されたｍ×ｎ個の画素電極１１、これら画素電極１１の行に沿ってそれぞれ形成されたｎ本の走査線Ｙ（Ｙ１〜Ｙｎ）、これら画素電極１１の列に沿って形成されたｍ本の信号線Ｘ（Ｘ１〜Ｘｍ）、各々対応走査線Ｙ及び対応信号線Ｘの交差位置近傍に画素２０毎に配置されたｍ×ｎ個のスイッチング素子すなわち薄膜トランジスタ（ＴＦＴ）１２、液晶容量と各々が並列に設けられている補助容量１３、この補助容量１３を構成するよう対応行の画素電極１１に容量結合してｎ本の走査線Ｙと略平行に形成された補助容量線１４などを有している。また、画素電極１１と補助容量線との間には絶縁層１５が形成されている。なお、信号線Ｘと平行な方向を第１方向Ａ１、この信号線Ｘと直交する走査線Ｙと平行な方向を第２方向Ａ２とする。
【００１８】
さらに、図１に示すように、アレイ基板２は、表示領域１０の周辺の駆動回路領域１６において、ｎ本の走査線Ｙに接続された走査線ドライバ１７、及び、ｍ本の信号線Ｘに接続された信号線ドライバ１８を有している。走査線ドライバ１７および信号線ドライバ１８は、液晶表示装置を統括的に制御するコントローラ１９と接続されている。
【００１９】
走査線ドライバ１７は、コントローラ１９による制御に基づいてｎ本の走査線Ｙに順次走査信号（駆動信号）を供給する。信号線ドライバ１８は、コントローラ１９による制御に基づいて各行のＴＦＴ１２が走査信号によってオンする毎にｍ本の信号線Ｘに映像信号（駆動信号）を供給する。これにより、各行の画素電極１１は、対応するＴＦＴ１２を介して供給される映像信号に応じた画素電位にそれぞれ設定される。
【００２０】
図２および図３に示すように、画素電極１１は、絶縁層１５上に配置され、例えばインジウム・ティン・オキサイド（ＩＴＯ）などの透光性導電膜により、全体としてほぼ矩形状に形成されている。画素電極１１は、第１方向Ａ１に長い長方形であって、短辺方向（第２方向Ａ２）の長さ（以下幅と記載する）は、４０μｍ以下に形成されている。本実施の形態においては、画素電極の幅Ｐ１は、２５μｍである。
【００２１】
また、画素電極１１は、ＴＦＴ１２と電気的に接続されている。ＴＦＴ１２は、走査線ドライバ１７から走査線信号が供給されることにより、オンして、信号線ドライバ１８からの映像信号を画素電極１１に供給する。
【００２２】
一方、対向基板３は、ガラス板や石英板などの透光性絶縁基板（第２絶縁基板）４０、透光性絶縁基板４０上に配置されているカラーフィルタ層４１、対向電極４２、複数のリブ４３を含んでいる。
【００２３】
また、アレイ基板２および対向基板３の液晶層４と直接接する界面には、液晶分子にそれぞれ基板に対して垂直な方向の配向を与える配向膜５１、５２が形成されている。これにより、液晶分子は、その長軸が基板の界面に対して垂直な方向を向くように配向されている。本実施の形態において、配向膜５１，５２は、それぞれ５０ｎｍ〜９０ｎｍの厚さに、例えばポリイミド配向膜により形成されている。
【００２４】
カラーフィルタ層４１は、透光性絶縁基板４０上の表示領域１０において、各画素２０を区画するブラックマトリクス（図示せず）と、このブラックマトリクスによって囲まれた各画素２０に配置されたカラーフィルタ（図示せず）とを含んでいる。ブラックマトリクスは、アレイ基板２に設けられた走査線Ｙや信号線Ｘなどの配線部に対向するように配置されている。カラーフィルタは、互いに異なる色、例えば赤色、青色、緑色といった３原色にそれぞれ着色された着色樹脂によって形成されている。赤色着色樹脂、青色着色樹脂、及び緑色着色樹脂は、それぞれ赤色画素、青色画素、及び緑色画素に対応して配置されている。
【００２５】
対向電極４２は、すべての画素２０の画素電極１１と対向するように配置されている。この対向電極４２は、インジウム・ティン・オキサイド（ＩＴＯ）などの透光性導電膜によって形成され、補助容量１３と電気的に接続されている。
【００２６】
リブ４３は、対向電極４２上に複数設けられ、画素電極１１の長辺方向（第１方向Ａ１）と直交する第２方向Ａ２に沿って互いに平行に配置されている。図３に示すとおり、各リブ４３は、画素電極１１を長手方向に２等分割するように配置され、液晶層４を挟んで画素電極１１と重なり合っている。すなわち、リブ４３の中心を通る第２方向Ａ２の第１仮想線２０２は、画素電極１１の対向する２辺（長辺）の中心を通り、画素電極１１を２等分割している。
【００２７】
また、リブ４３は、両側面から第１方向Ａ１に所定長さＢ１突出している凸部４３１，４３２を第２方向Ａ２に交互に備えている。すなわち、リブ４３は、第１方向Ａ１の第１の幅Ｂ２と、第１の幅よりも凸部４３１，４３２の高さＢ１だけ大きい第２の幅Ｂ３を有し、一方の側面から突出している凸部（第１凸部）４３１と、他方の側面から突出している凸部（第２凸部）４３２とを交互に備えている。
【００２８】
このように、リブ４３は、画素電極１１と対向電極４２とに挟まれた画素領域２０３において、第１仮想線２０２に対して非対称に形成されている。また、画素領域２０３に対応するリブ４３は、画素電極１１の対向する２つの短辺の中央を通る第２仮想線２０４に対して非対称に形成されている。すなわち、画素領域２０３に対応するリブ４３は、第１仮想線２０２と第２仮想線２０４の交点を中心軸とする回転対称である。より詳細に説明すると、画素領域２０３におけるリブ４３は、１８０度回転すると元の形状に一致する２回の回転対称に形成されている。
【００２９】
さらに、画素領域２０３に対応するリブ４３は、第１仮想線２０２と第２仮想線２０４により４分割された４つの分割部Ｄ１，Ｄ２，Ｄ３，Ｄ４を含み、対角線上に位置している分割部Ｄ２，Ｄ３の面積が、他の対角線上に位置している分割部Ｄ１，Ｄ４の面積よりも大きい。つまり、分割部Ｄ２，Ｄ３は、凸部４３１，４３２を含むため、凸部４３１,４３２を含まない分割部Ｄ１，Ｄ４に比べて面積が大きい。
【００３０】
また、図３に示すような対向基板側から見た透過的な概略図では、リブ４３の分割部Ｄ１，Ｄ４においては、画素電極１１の一方の長辺に対応する第３仮想線２０５とリブ４３の外縁（側面）とは角度９０度で交わっている。また、リブ４３の分割部Ｄ２，Ｄ３においては、画素電極１１の他方の長辺に対応する第３仮想線２０５とリブ４３の外縁（側面）とは角度９０度で交わっているが、リブ４３の分割部Ｄ１，Ｄ４の第３仮想線２０５との角部に対応する部分には凸部４３１，４３２が形成されている。このように、対角線上に配置されているリブ４３の分割部Ｄ２，Ｄ３は、第３仮想線２０５と交わる角部が凸部４３１,４３２により形成されている。
【００３１】
上述した構成のアレイ基板２及び対向基板３は、有効表示部１０内に配置された柱状スペーサ（図示せず）によって所定のギャップ、例えば３．５μｍ±０．３μｍのギャップを形成した状態で対向配置され、その周縁部同士が、例えばシール材により貼り合せられている。これにより、液晶分子注入用のセルが形成され、セル内に負の誘電異方性を示す液晶材料（Ｎｎ液晶材料）を注入し封止することにより液晶層４が形成されている。すなわち、液晶層４は、アレイ基板２側の配向膜５１と、対向基板３側の配向膜５２との間に保持されている。これにより、液晶層４に含まれる液晶分子が配向膜５１及び５２による配向制御によって垂直配向された垂直配向モードが構成可能となる。
【００３２】
このような構成を有する液晶表示装置において、画素電極１１と対向電極４２間に電圧が印加されて表示モードが実行されると、リブ４３の近傍で生じる電場の揺らぎが生成され、リブ４３を界面とする図２に示したような液晶層４の液晶配向の分割が誘起され、一つの画素電極１１に２つのドメインが形成される。このように、１つの画素領域２０３において、これらのドメインが複数形成されることにより、液晶分子の異方性の補償効果が生じ、広い視野角を実現することができる。
【００３３】
図４は、このような表示モードにおける液晶パネル１の配向状態を示す図である。図４に示す通り、画素領域２０３には、第１仮想線２０２により分割される（すなわちリブ４３により分割される）第１分割領域２０８および第２分割領域２０９が形成されている。第１分割領域２０８および第２分割領域２０９の液晶配向は、第１仮想線２０２に対して非対称で、第１分割領域２０８，２０９のそれぞれにおいても、第２仮想線２０４に対して非対称である。また、画素領域２０３の液晶配向は、第１仮想線２０２と第２仮想線２０４の交点を中心とする回転対称である。
【００３４】
さらに、複数の画素領域２０３の液晶配向は、第２方向Ａ２において隣り合う他の画素領域２０３の液晶配向に対して鏡像である。すなわち、第２方向Ａ２において隣り合う画素領域２０３の液晶配向同士は、これらの境界線に対して線対称である。
【００３５】
このように、液晶パネル１は、隣り合う画素領域２０３の液晶配向が線対称となるような一定の規則性に基づく液晶配向が形成される。このため、図５に示すような、表示モードにおける液晶パネル１の白表示状態において、ザラザラ感やムラのない均一な白表示が得られた。
【００３６】
なお、本実施の形態のようなマルチドメイン方式においては、視野角を広げる為のドメイン境界を形成すると同時に透過率の急激な変化をもたらすドメインバウンダリを誘起することが知られており、このドメインバウンダリはノーマリブラックに設定された液晶モードでは輝度低下を招く問題がある。今回、発明者達は、ドメインバウンダリを形成するチルト制御構造と光透過率との関係において、チルト制御構造の形状や方向による輝度低下率に比べて、チルト制御構造体の面積が各画素内に占める面積割合に起因した輝度低下率の方が大きいことを発見した。従って、本発明にかかるリブ４３のように、画素電極１１の短辺方向に渉って設けられている形状の方が、画素電極１１の長辺方向に渉って設けられるものに比べて、画素領域２０３に占める面積の割合を削減することができるため、光の透過性の効率を向上することができ、ドメインの分割を容易に行えることができる。従って、高い光透過率を確保することができ、輝度を向上させることができる。
【００３７】
このように、画素領域２０３内の第１分割領域２０８と第２分割領域２０９の液晶配向が非対称となるようにする凸部４３１，４３２を、リブ４３の両側面に設けることにより、複数の画素領域２０３における配向状態を安定させることができ、一定の規則性に基づく液晶配向を実現することができる。このため、配向分割状態が安定したマルチドメイン形式の液晶表示装置を実現し、広い視野角を得ることができる。また、凸部４３１，４３２は、両側面が凹凸形状を有するリブ４３を形成するための所定のマスクを用いて感光性樹脂（例えば、感光性アクリル樹脂）が露光・現像される公知の方法によりリブ４３と一体的に形成することができるため、従来用いられている形成プロセスを変更することなく、配向分割状態が安定したマルチドメイン形式の液晶表示装置を実現し、広い視野角を得ることができ、製造コストおよび製造効率への影響を最小限に抑え、その結果、生産性の向上を図ることができる。
【００３８】
なお、本実施の形態において、画素電極１１のエッジ部以外の領域でのリブ４３は、配向分割能力を持たせるために十分な傾斜角度と高さを備えていればよく、例えば、アレイ基板２と対向基板３とのセルギャップが３．５μｍで、画素電極１１の短辺方向の長さＰ１が２５μｍである場合、リブ４３の高さは１．５μｍ、凸部４３１，４３２の長さＢ１は５μｍ、第１の幅Ｂ２は６μｍ、隣接する画素電極１１同士の間隔は８μｍであることが好ましい。すなわち、本実施の形態において、リブ４３の凸部４３１，４３２の第１方向Ａ１の長さＢ１は、第１の幅Ｂ２よりも小さい。
【００３９】
また、図２に示した通り、本実施の形態において、第１偏光制御素子５は、第１偏光板６１および第１位相差板６２を含み、第２偏光制御素子６は、第２偏光板７１および第２位相差板７２を含んでいる。第１位相差板６２及び第２位相差板７２は、例えば、所定波長の光に対して常光線と異常光線との間に１／４波長の位相差を与えるいわゆる１／４波長板である。また、ここで適用される第１偏光板６１および第２偏光板７１は、光の進行方向に直交する平面内において、互いに直交する吸収軸及び透過軸を有している。このような偏光板は、ランダムな方向の振動面を有する光から、透過軸と平行な１方向の振動面を有する光すなわち直線偏光の偏光状態を有する光を取り出すものである。
【００４０】
（第１実施の形態の変形例１）
次に、図６、７を用いて上記第１の実施の形態の変形例１について説明する。図６に示す通り、リブ４４は、リブ４３と同様に、それぞれ一方の側面から突出している複数の凸部４４１と、それぞれ他方の側面から突出している複数の凸部４４２とを第２方向Ａ２に沿って交互に備えている。すなわち、リブ４４は、リブ４３と同様に、画素電極１１と対向電極４２とに挟まれた画素領域２０３において、第１仮想線２０２に対して非対称に形成され、且つ、第２仮想線２０４に対しても非対称に形成されている。また、画素領域２０３におけるリブ４４は、第１仮想線２０２と第２仮想線２０４との交点を軸とする回転対称であって、本実施の形態においては、２回の回転対称である。
【００４１】
ここで、リブ４４とリブ４３との異なる点は、それぞれのサイズであって、本実施の形態において、画素電極１１の幅Ｐ２は第１の実施の形態の幅Ｐ１よりも大きい４０μｍであって、リブ４３の高さは１．５μｍ、凸部４４１，４４２の第１方向Ａ１の長さＢ１は１０μｍ、第１の幅Ｂ２は６μｍ、隣接する画素電極１１同士の間隔は８μｍである。すなわち、本実施の形態において、リブ４４の凸部４４１，４４２の第１方向Ａ１の長さＢ１は、第１の幅Ｂ２よりも大きい。
【００４２】
このように、凸部４４１，４４２の長さＢ１を大きくすることにより、画素領域２０３における液晶配向の非対称性を強調することができるため、画素領域２０３の配向状態を安定させることができる。これにより、本実施の形態のように、幅Ｐ２が幅Ｐ１に比べて大きい場合であっても、リブ４４の凸部４４１，４４２の長さＢ１を大きくすることにより、配向安定性を確保することができる。
【００４３】
従って、図７に示す通り、表示モードにおける液晶パネル１の配向状態は、隣り合う画素領域２０３の液晶配向が線対称となるような一定の規則性に基づく液晶配向となる。すなわち、図４を用いて説明したと同様に、画素領域２０３には、第１仮想線２０２により分割される（すなわちリブ４３により分割される）非対称な第１分割領域２０８と第２分割領域２０９とが形成され、第１分割領域２０８および第２分割領域２０９の液晶配向は、この第１仮想線２０２に対して線対称でなく、且つ、第１分割領域２０８，２０９のそれぞれにおいても、第２仮想線２０４に対して線対称でない液晶配向が形成される。また、画素領域２０３の液晶配向は、第１仮想線２０２と第２仮想線２０４の交点を中心とする回転対称である。このため、表示モードにおける液晶パネル１の白表示状態において、図５に示すようなザラザラ感やムラのない均一な白表示が得られる。
【００４４】
（第１実施の形態の変形例２）
次に、図８，９を用いて上記第１の実施の形態の変形例２について説明する。図８に示す通り、リブ４５は、両外縁が鋸歯状に形成されている。詳細に説明すると、リブ４５は、一方の外縁に、画素領域２０３において液晶層４を挟んで対向する画素電極１１の向かい合う長辺に渉って設けられ、画素電極１１の一方の長辺（エッジ）と第１の角度θ１をなして交わり、画素電極１１の他方の長辺と第２の角度θ２をなして交わっている複数の直線部４５１と、この直線部４５１との間であって、アレイ基板２に配置されている画素電極１１同士の間と液晶層４を挟んで対向している角部４５２を備えている。また、リブ４５は、他方の外縁部において、直線部４５１と平行であって、前記複数の直線部４５１と第１の角度θ１をなして交わっている画素電極１１の長辺と第２の角度θ２をなして交わり、直線部４５１と第２の角度θ２をなして交わっている画素電極１１の長辺と第１の角度θ１をなして交わっている直線部４５３を含んでいる。また、リブ４５は、これら直線部４５３との間であって、アレイ基板２に配置されている画素電極１１同士の間と液晶層４を挟んで対向している角部４５４を含んでいる。第１の角度θ１は、９０度未満であって、第２の角度θ２との和が１８０度となる。本実施の形態において、第１の角度θ１は、８０度以上９０度未満の範囲で、第２のθ２は、９０度以上１００度以下の範囲で形成される。
【００４５】
また、リブ４５は、画素領域２０３における画素電極１１と対向する領域においては、第３の幅Ｂ５を有し、画素電極１１同士の間隔と対向する部分において、第３の幅Ｂ５よりも大きい第４の幅Ｂ６を有する。言い換えると、リブ４５は、短手方向に第３の幅Ｂ５を有し、長手方向に直線部４５１，４５３を有する複数の矩形部材が、画素電極１１の長辺と対応する第３仮想線２０５と交差する第１の角度θ１が９０度以下となるように配置され、且つ、それぞれの隣り合う矩形部材の角部がオーバーラップして連結されているような形状を有する。そして、このように連結されて第２方向Ａ２に細長い複数のリブ４５が、リブ４３と同様に、画素電極１１を長手方向に２等分割するように、第１方向Ａ１の方向にそれぞれ並列に配置されている。
【００４６】
従って、画素領域２０３に対応するリブ４５は、第１仮想線２０２に対して非対称に形成され、第２仮想線２０４に対しても非対称に形成されている。また、画素領域２０３におけるリブ４５は、第１仮想線２０２と第２仮想線２０４との交点を軸とする回転対称であって、本実施の形態においては２回の回転対称である。また、画素領域２０３に対応する液晶配向は、全て一致している。
【００４７】
このように、各画素領域２０３に対応するリブ４５を第１仮想線２０２、第２仮想線２０４に対して非対称で、且つ、回転対称である形状にすることにより、それぞれの画素領域２０３における液晶配向が非対称であって、且つ、画素領域２０３における液晶配向を一致させることができる。すなわち、図９に示す通り、画素領域２０３には、第１仮想線２０２により分割され（すなわちリブ４５により分割され）、それぞれが第１仮想線２０２および第２仮想線２０４に対して非対称で、且つ、第１仮想線２０２と第２仮想線２０４の交点を中心とする回転対称となる液晶配向を有する第１分割領域２０８および第２分割領域２０９とが形成される。従って、図９に示す通り、表示モードにおける液晶パネル１の配向状態は、画素領域２０３毎の液晶配向が同一となるような一定の規則性に基づく液晶配向となる。
【００４８】
このため、表示モードにおける液晶パネル１の白表示状態において、図５に示すようなザラザラ感やムラのない均一な白表示が得られる。
【００４９】
なお、本実施の形態において、画素電極１１の幅Ｐ２は４０μｍであって、リブ４５の高さは１．５μｍ、第３の幅Ｂ２は６μｍ、第１の角度θ１は８０°、第２の角度θ２は１００度、隣接する画素電極１１同士の間隔は１０μｍである。
【００５０】
（比較例）
次に、図１０、１１を用いて上記第１の実施の形態との比較例について説明する。図１０に示す通り、画素電極１１は第１方向Ａ１に細長い長方形状であって、リブ４６は、第１方向Ａ１と交わる第２方向Ａ２に細長いストライプ形状である。リブ４６は、両側面が平行な直線であって、画素領域２０３に対応するリブ４６は矩形状である。従って、画素領域２０３に対応するリブ４６は、第１仮想線２０２および第２仮想線２０４の両方に対して線対称である。また、図１０に示す通り、液晶パネル１を対向基板３側から見たとき、リブ４６と画素電極１１の長辺との間隔が、リブ４６と画素電極１１の短辺との間隔に比べて極めて小さい。
【００５１】
このように、リブ４６と画素電極１１の短辺との距離が遠くなるため、図１１に示すように、配向分割された第１分割領域２０８および第２分割領域２０９のそれぞれの領域内における配向安定性が低くなる。従って、図１１に示すように、３つの画素領域２０３１，２０３２，２０３３における液晶配向が一致せず、ばらばらになる。つまり、画素領域２０３１の液晶配向は、第１仮想線２０２に対して線対称であるが第２仮想線２０４に対しては非対称で、第１仮想線２０２と第２仮想線２０４との交点に対して回転対称でない。一方、画素領域２０３２，２０３３の液晶配向は、第１仮想線２０２および第２仮想線２０４の両方に対しては線対称であり、且つ、第１仮想線２０２と第２仮想線２０４との交点に対して回転対称である。
【００５２】
このように、各画素領域２０３における配向状態を安定させることができず、画素領域２０３毎における配向状態がばらばらとなってしまうため、表示モードにおける液晶パネル１の白表示状態において、図１２に示すようなザラザラ感や表示ムラのある不均一な白表示となってしまう。
【００５３】
（第２の実施の形態）
次に、図１３、１４を用いて第２の実施の形態について説明する。図１３に示す通り、アレイ基板２（図示せず）上には画素電極１１１が、対向基板３（図示せず）上にはリブ４７が形成されている。画素電極１１１は、第１方向Ａ１に細長い形状であって、リブ４７は、第２方向Ａ２に細長いストライプ形状である。このリブ４７は、画素電極１１１を長手方向に２等分割するように配置され、液晶層４（図示せず）を挟んで画素電極１１１の中央付近と重なり合っている。なお、上述の通り、第１仮想線２０２は、リブ４７の中心を通る第２方向Ａ２の仮想線であって、画素電極１１１の対向する２辺（長辺）の中心を通り、画素電極１１１を２等分割している。
【００５４】
画素電極１１１は、第１仮想線２０２よりも紙面上方の第１画素電極領域１１２と、第１仮想線２０２よりも紙面下方の第２画素電極領域１１３からなり、この第１仮想線２０２と交差する位置、すなわち長辺の中央に、段差部分１１１Ａ，１１１Ｂを有している。画素電極１１１は隣り合う画素電極１１１に対して、第１画素電極領域１１２間の距離Ｅ１と、第２画素電極領域１１３間の距離Ｅ２とが異なる位置に配置されている。また、画素電極１１１は、隣り合う一方の画素電極１１１に対する距離Ｅ１と、隣り合う他方の画素電極１１１に対する距離Ｅ１とが異なる。さらに、この画素電極１１１は、隣り合う一方の画素電極１１１に対する距離Ｅ２と、隣り合う他方の画素電極１１１に対する距離Ｅ２とが異なる。
【００５５】
すなわち、図１３に示す通り、中央に示されている画素電極１１１の第１画素電極領域１１２と、その紙面左側Ｌに示されている画素電極１１１との第１距離Ｄ１は、中央に示されている画素電極１１１の第２画素電極領域１１３と上記紙面左側Ｌの画素電極１１１との第２距離Ｄ２よりも大きい。また、中央に示されている画素電極１１１の第１画素電極領域１１２と、その紙面右側Ｒに示されている画素電極１１１との第１距離Ｄ１は、中央に示されている画素電極１１１の第２画素電極領域１１３と上記紙面右側Ｒの画素電極１１１との第２距離Ｄ２よりも小さい。このように、画素電極１１１は、第２方向Ａ２に隣り合う画素電極１１１と、その境界線に対して線対称である。また、画素電極１１１は、第１仮想線２０２に対して非対称で、画素電極１１１上の第１仮想線２０２の中心を軸とする回転対称であって、本実施の形態においては、２回の回転対称である。
【００５６】
上述の中央の画素電極１１１の第１画素電極領域１１２と左側Ｌの画素電極１１１との間や、中央の画素電極１１１の第２画素電極領域１１３と右側Ｒの画素電極１１１との間のように、隣接する画素電極１１１同士の間隔が広い部分においては、画素電極１１１の長辺エッジにより生じる傾斜電場が液晶配向に有効に働き、液晶分子を画素電極１１１の長辺と直行する向きに配向させる力が強い。一方、中央の画素電極１１１の第２画素電極領域１１２と左側Ｌの画素電極１１１との間や、中央の画素電極１１１の第１画素電極領域１１３と右側Ｒの画素電極１１１との間のように、隣接する画素電極１１１同士の間隔が狭い部分においては、画素電極１１１の長辺エッジに傾斜電場が生じ難いため、液晶分子は画素電極１１１の長辺と平行な方向に配向する。
【００５７】
このため、上述のように、隣り合う画素電極１１１の間隔が広い部分と狭い部分とが、第１方向Ａ１および第２方向Ａ２の両方において交互に配置されていることにより、図１４に示すように、第１画素電極領域１１２と対応する第１分割領域２０８と、第２画素電極領域１１３と対応する第２分割領域２０９の液晶配向が、この第１仮想線２０２に対して非対称な状態を示す。また、第１分割領域２０８と第２分割領域２０９のそれぞれの液晶配向は、画素電極１１１の中心を通る第４仮想線２１０に対して非対称であって、画素領域２０３の液晶配向は、第１仮想線２０２と第４仮想線２１０の交点を中心とする回転対称となる。
【００５８】
従って、図１４に示す通り、表示モードにおける液晶パネル１の配向状態は、隣り合う画素領域２０３の液晶配向が線対称となるような一定の規則性に基づく液晶配向となる。このため、表示モードにおける液晶パネル１の白表示状態において、図５に示すようなザラザラ感やムラのない均一な白表示が得られる。
【００５９】
なお、本実施の形態において、画素電極１１１の幅Ｐ３は２５μｍであって、画素電極１１１間の間隔が広い部分は６μｍ以上であることが好ましく、狭い部分は５μｍ以下であることが好ましい。特に、画素電極１１１の幅Ｐ３が４０μｍ未満であるようの高精細な液晶パネルにおいては、広い部分の距離（中央の画素電極１１１と左側Ｌの画素電極１１１との第１距離Ｄ１、中央の画素電極１１１と右側Ｒの画素電極１１１との第２距離Ｄ２）を、８±２μｍとし、狭い部分の距離（中央の画素電極１１１と左側Ｌの画素電極１１１との第２距離Ｄ２、中央の画素電極１１１と右側Ｒの画素電極１１１との第１距離Ｄ１）を、４±１μｍとすることで、一般的なＴＦＴ製造設備の性能の範囲内で最も効果を得ることができる。
【００６０】
（第２実施の形態の変形例１）
次に、図１５，１６を用いて第２の実施の形態の変形例１について説明する。図１５に示す通り、画素電極１２１は、上述の画素電極１１１と同様に、第１仮想線２０２よりも紙面上方の第１画素電極領域１２２と、第１仮想線２０２よりも紙面下方の第２画素電極領域１２３とからなり、この第１仮想線２０２と交差する位置に、段差部分１２１Ａ，１２１Ｂを有し、リブ４８は、第１方向Ａ１に長い画素電極１２１の中央に配置され、第２方向Ａ２に細長いストライプ形状を有している。そして、第１画素電極領域１２２と第２方向Ａ２に隣り合う画素電極１２１との第１距離Ｄ１が、第２画素電極領域１２３と第２方向Ａ２に隣り合う画素電極１２１との第２距離Ｄ２と異なり、隣り合う画素電極１２１の間隔が広い部分と狭い部分とが、第１方向Ａ１および第２方向Ａ２の両方において交互に配置されている。
【００６１】
ここで、画素電極１２１と画素電極１１１との異なる点は、それぞれのサイズであって、本実施の形態において、画素電極１２１の幅Ｐ４は第２の実施の形態の幅Ｐ３よりも大きい４０μｍであって、リブ４３の高さは１．５μｍ、狭い部分の距離が４μｍ、広い部分の距離が１０μｍである。
【００６２】
このように、隣り合う画素電極１２１の間隔が広い部分と狭い部分とが、第１方向Ａ１および第２方向Ａ２の両方において交互に配置されていることにより、画素領域２０３における液晶配向が、第１仮想線２０２に対して非対称で、また画素電極１１１の中心を通る第４仮想線２１０に対しても非対称で、且つ、第１仮想線２０２と第４仮想線２１０の交点を中心とする回転対称とすることができる。よって、図１６に示す通り、表示モードにおける液晶パネル１の配向状態は、隣り合う画素領域２０３の液晶配向が線対称となるような一定の規則性に基づく液晶配向を示す。このため、表示モードにおける液晶パネル１の白表示状態において、図５に示すようなザラザラ感やムラのない均一な白表示が得られる。
【００６３】
なお、上述の通り、隣り合う画素電極１２１の間隔が広い部分と狭い部分との差を大きくすることにより、画素領域２０３における液晶配向の非対称性を強調することができるため、画素領域２０３の配向状態を安定させることができる。これにより、本実施の形態のように、４０μｍの画素電極１２１の幅Ｐ４が第２の実施の形態の２５μｍの画素電極１１１の幅Ｐ３に比べて大きい場合であっても、隣り合う画素電極１２１の間隔が広い部分と狭い部分との差をより大きくすることにより、配向安定性を確保することができる。
【００６４】
（第３の実施の形態）
次に、図１７、１８を用いて第３の実施の形態について説明する。図１７に示す通り、アレイ基板２（図示せず）上には画素電極１３１が、対向基板３（図示せず）上にはリブ４９が形成されている。画素電極１３１は、第１方向Ａ１に細長い長方形状であって、リブ４９は、第１方向Ａ１と直角に交わる第２方向Ａ２に細長い、両側面が平行な直線なストライプ形状である。このリブ４９は、画素電極１３１を長手方向に２等分割するように配置され、液晶層４（図示せず）を挟んで画素電極１３１の中央付近と重なり合っている。なお、上述の通り、第１仮想線２０２は、リブ４９の中心を通る第２方向Ａ２の仮想線であって、画素電極１３１の対向する長辺の中心を通り、画素電極１３１を２等分割している。また、第２仮想線２０４は、第１方向Ａ１の仮想線であって、画素電極１３１の対向する短辺の中心を通っている。すなわち、画素領域２０３におけるリブ４９および画素電極１３１は、第１仮想線２０２および第２仮想線２０４に対して線対称であって、且つ、回転対称である。
【００６５】
本実施の形態における液晶層４は、所定のギャップ、例えば３．５μｍ±０．３μｍのギャップを形成した状態で対向配置されている上述の構成を有するアレイ基板２及び対向基板３の周縁部同士が例えばシール材により貼り合せられて形成された液晶分子注入用のセル内に、右捩じれのカイラル剤あるいは左捩じれのカイラル剤を含有させた液晶材料（Ｎｎ液晶材料）を注入し封止することにより形成されている。このため、液晶層４には、自発的な捩じれ構造が生成され、図１８に示すように、それぞれの画素領域２０３において、第１仮想線２０２および第２仮想線２０４に対して非対称な液晶配向が形成される。すなわち、画素領域２０３おいて第１仮想線２０２よりも上側に位置されている第１分割領域２０８の液晶配向と、下側に位置されている第２分割領域２０９の液晶配向が、この第１仮想線２０２に対して非対称で、また、それぞれ第２仮想線２０４に対しても非対称である。そして、画素領域２０３の液晶配向は、第１仮想線２０２と第２仮想線２０４の交点を中心とする回転対称である。
【００６６】
従って、図１８に示す通り、表示モードにおける液晶パネル１の配向状態は、画素領域２０３の液晶配向がそれぞれ一致するような一定の規則性に基づく液晶配向となる。このため、表示モードにおける液晶パネル１の白表示状態において、図５に示すようなザラザラ感やムラのない均一な白表示が得られる。
【００６７】
なお、本実施の形態において、液晶材料には、自発的捩じれピッチが６０μｍとなる濃度のカイラル剤が添加されている。また、本実施の形態において、画素電極１３１の幅Ｐ５は４０μｍ、画素電極１３１間の間隔は８μｍ、リブ４３の高さは１．５μｍである。
【００６８】
なお、本実施の形態において、液晶層４に含有されているカイラル剤は、微量であっても捩じれの優先度を左右するため、カイラル物質の添加量としては、微量でも捩じれの優先度を左右するため特に指定する範囲は無いが、より安定な配向非対称性を得る点では、自発的な捩じれピッチが３０〜６０μｍとなるカイラル物質を利用することが好ましい。
【００６９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７０】
例えば、第１偏光制御素子５は、第１位相差板６２として、上述の１／４波長板に加えて、所定波長の光に対して常光線と異常光線との間に１／２波長の位相差を与えるいわゆる１／２波長板を含むものであってもよい。同様にして、第２偏光制御素子６は、第２位相差板７２として、上述の１／４波長板に加えて、１／２波長板を含むものであってもよい。これにより、波長による光の透過率の変化を抑えることができる。さらに、視野角を広くする設計の場合には、負の位相差を持つ光学素子を加えてもよい。
【００７１】
また、第１実施の形態の変形例２において説明した通り、画素電極１１の長辺と直線部４５１あるいは直線部４５３により形成された第１の角度θ１は、８０度以上９０度未満の範囲で、第２の角度θ２は、９０度以上１００度以下の範囲で形成されることが好ましい。これは、チルト制御構造体の面積が各画素内に占める面積割合に起因した輝度低下率を低減するための最適の範囲であって、高い透過率を確保し、輝度を向上させることができる。しかし、本発明はこれに限られず、第１の角度θ１および第２の角度θ２は９０度でなければよく、十分な透過率を確保できる範囲であればよい。
【００７２】
さらに、第３の実施の形態において説明した通り、画素電極１３１の長辺とリブ４９の長辺との交点が直角であるため、液晶層４に利用されるカイラル剤の右捩じれあるいは左捩じれの両方を利用することができる。しかし、本発明はこれに限られず、例えば、図８に示すような画素領域２０３に対応するリブ４５が、第１仮想線２０２および第２仮想線２０４のそれぞれに対して非対称、且つ、回転対称であって、それぞれが同じ形状である構成を有する液晶パネル１に対しても利用可能である。この場合においては、リブ４５と画素領域２０３とが交差する第１の角度θ１に対応する方向に捩じれ特性を有するいずれか一方のカイラル剤だけを利用することにより、画素領域２０３における液晶配向の非対称性を強調し、画素領域２０３の配向状態を安定させることができる。すなわち、図８に示すような、リブ４５の直線部４５１，４５３が紙面において右上がりである場合は、左捩じれのカイラル剤を液晶層４に添加することにより、図９に示すような非対称な液晶配向性を強調することができ、画素領域２０３の配向状態を安定させることができる。従って、図示しないが、図８に示すようなリブ４５とは逆に左上がりのリブを備える液晶表示パネル１においては、右捩じれのカイラル剤を含有する液晶層４を利用することにより、図１８に示すような非対称な液晶配向性を強調することができる。これらに利用される液晶材料には、自発的な捩じれが３０〜６０μｍとなる濃度の左捩じれカイラル剤あるいは右捩じれカイラル剤が添加可能である。
【００７３】
また、本実施の形態において薄膜トランジスタ（ＴＦＴ）は、ａ−ＳｉやＰ−Ｓｉ、およびＩＴＯなどの半導体層と、Ａｌ、Ｍｏ、Ｃｒ、Ｃｕ、Ｔａなどの金属層と、が重なりあって電気的に作用する素子が利用可能である。
【００７４】
さらに、本実施の形態において、カラーフィルタは、対向基板３側に設けられているが、本発明はこれに限られず、例えば、アレイ基板２上に色表示用のカラーフィルタを造り込む構造（ＣＯＡ）が適用されてもよい。このＣＯＡは、対向基板にカラーフィルタを採用する方式と異なり、基板同士の位置合わせ等の煩わしさがない。
【００７５】
また、上述の実施の形態において、第２方向Ａ２は、第１方向Ａ１と直交すると説明したが、本発明はこれに限られず、平行でなく交わる方向であればよい。
【図面の簡単な説明】
【００７６】
【図１】この発明の第１の実施の形態に係る液晶表示装置の構成を概略的に示す図。
【図２】図１に示した液晶表示装置の基本構成を示す断面図。
【図３】図１，２に示した液晶表示装置に適用可能な液晶パネルを対向基板側から見た透過的な概略図。
【図４】図３に示した液晶表示パネルの表示モードにおける配向状態を示す図。
【図５】図３，４に示した液晶表示パネルの表示モードにおける白表示状態を示す図。
【図６】図３に示した液晶表示パネルと異なる例における、対向基板側から見た透過的な概略図。
【図７】図６に示した液晶表示パネルの表示モードにおける配向状態を示す図。
【図８】図３に示した液晶表示パネルとさらに異なる例における、対向基板側から見た透過的な概略図。
【図９】図８に示した液晶表示パネルの表示モードにおける配向状態を示す図。
【図１０】図３，６および８に示した液晶表示パネルとの比較例における、対向基板側から見た透過的な概略図。
【図１１】図１０に示した液晶表示パネルの表示モードにおける配向状態を示す図。
【図１２】図１０，１１に示した液晶表示パネルの表示モードにおける白表示状態を示す図。
【図１３】この発明の第２の実施の形態にかかる液晶パネルを対向基板側から見た透過的な概略図。
【図１４】図１３に示した液晶表示パネルの表示モードにおける配向状態を示す図。
【図１５】図１３に示した液晶表示パネルと異なる例における、対向基板側から見た透過的な概略図。
【図１６】図１５に示した液晶表示パネルの表示モードにおける配向状態を示す図。
【図１７】この発明の第３の実施の形態にかかる液晶パネルを対向基板側から見た透過的な概略図。
【図１８】図１７に示した液晶表示パネルの表示モードにおける配向状態を示す図。
【符号の説明】
【００７７】
１…液晶表示パネル、２…アレイ基板、３…対向基板、４…液晶層、１１…画素電極、１２…ＴＦＴ、１５…絶縁層、２０…画素、４２…対向電極、４３…リブ、６１…第１偏光板、６２…第１位相差板、７１…第２偏光板、７２…第２位相差板、ＢＬ…バックライトユニット、１２２…第１画素電極領域、１２３…第２画素電極領域、２０２…第１仮想線、２０３…画素領域、２０４…第２仮想線、２０５…第３仮想線、２０８…第１分割領域、２０９…第２分割領域、４３１…凸部。
【図１】
2007192917.tif 000003
【図２】
2007192917.tif 000004
【図３】
2007192917.tif 000005
【図４】
2007192917.tif 000006
【図５】
2007192917.tif 000007
【図６】
2007192917.tif 000008
【図７】
2007192917.tif 000009
【図８】
2007192917.tif 000010
【図９】
2007192917.tif 000011
【図１０】
2007192917.tif 000012
【図１１】
2007192917.tif 000013
【図１２】
2007192917.tif 000014
【図１３】
2007192917.tif 000015
【図１４】
2007192917.tif 000016
【図１５】
2007192917.tif 000017
【図１６】
2007192917.tif 000018
【図１７】
2007192917.tif 000019
【図１８】
2007192917.tif 000020